(57)【特許請求の範囲】
【請求項１】
水廻り機器への配管経路内に少なくとも１つの給水流入部と２つの給水流出部を有する分岐継手部を設けてなり、
給水流入部と接続される配管と一方の給水流出部と接続される配管とを壁裏もしくは天井裏もしくは床下に敷設し、かつ、他方の給水流出部を室内側に向けて分岐してなり、
前記他方の給水流出部を覆う蓋を設け、
前記蓋が開口部を有し、
前記他方の給水流出部と接続する配管を前記開口部に挿入することで前記他方の給水流出部と接続することを特徴とするヘッダ工法による配管システム。
【請求項２】
前記分岐継手部は、前記配管に継手部を接続し、この継手部と分岐継手部とは嵌合接続し、かつ、水圧がかかって嵌合方向に分岐継手部から配管が抜けないように嵌合部に抜け防止金具を取付けたことを特徴とする請求項１に記載のヘッダ工法による配管システム。
【請求項３】
前記配管は、可撓性の樹脂管であり、かつ、鞘管内に敷設されていることを特徴とする請求項１又は２に記載のヘッダ工法による配管システム。
【請求項４】
前記分岐継手部の分岐部に止水栓を設けたことを特徴とする請求項１乃至３のいずれか１つに記載のヘッダ工法による配管システム。
【請求項５】
前記分岐継手部の分岐部は、内部に止水弁を備え、かつ、水廻り機器の分岐接続部を分岐継手部に取付けることにより止水弁を開き、水廻り機器の分岐接続部を分岐継手部から取り外すことにより止水弁を閉じる開閉手段を備えたことを特徴とする請求項１乃至３のいずれか１つに記載のヘッダ工法による配管システム。
【請求項６】
前記分岐継手部の室内側に向けて分岐された分岐部に、逆止弁を設けていることを特徴とする請求項１乃至５のいずれか１つに記載のヘッダ工法による配管システム。
【発明の詳細な説明】
【０００１】
【発明の属する技術分野】
本発明は、ヘッダ工法による配管システムに関する。
【０００２】
【従来の技術】
従来の配管システムにおいて、ヘッダ工法による可撓性の樹脂配管を敷設するものがある。
これは、ヘッダより配管を分岐させて、床下や壁裏や天井裏に配管を敷設する。
そしてこの配管の末端に、水廻り機器を接続している。
【０００３】
【発明が解決しようとする課題】
しかしながら、従来のヘッダー工法による配管システムについては、水廻り機器１つに対して分岐配管を１つ敷設ており、家屋１軒における敷設配管の長さが長くなってしまうという問題が生じてしまう。
【０００４】
そのため、洗面化粧台に対して敷設した配管を洗面化粧台のキャビネット内で分岐し、この分岐した配管を洗濯機に利用することも提案されている。（特開平８−３５２４４号）
しかしながら、この提案においては、キャビネット内で分岐していることは開示しているが、この分岐した配管を洗濯機用の水栓金具へ配管をどのように敷設することは、明確に記載されていない。
特に、このように一旦キャビネット内に壁裏から取り込んだ配管をキャビネット内で分岐して、洗面化粧台以外にこの分岐した配管を利用する場合、分岐した配管の取廻しが非常に困難となってしまう。また、別部材でこの分岐した配管を覆って外観性を維持しなければならいといった問題も生じる。
【０００５】
一方、ヘッダ工法の利点としては、エルボなどを利用せずにヘッダから末端の水廻り機器まで１本の配管で敷設でき、配管の継手を低減し、漏水の発生を抑制することができることが挙げられる。
また、鞘管を利用して鞘管の内部に可撓性の樹脂管を敷設するが、この鞘管がガイドとなり、可撓性の樹脂管の更新を行なうことができる。
【０００６】
従来の鋼管の配管システムにおいては、エルボ、分岐継手、および直管等を用いて配管を継ぎ配管を敷設しているため、継手の数が多くなってしまっていた。また、壁裏等に敷設しているため、漏水した場合、どこから漏水しているか直に発見することができず、壁を取り外す等の大掛かりな工事が必要となってしまう。また、配管の更新も、壁を取り外さない限りできない。
そのため、ヘッダ工法において、鋼管による配管システムとの違いである上記利点を得るため、ヘッダからの配管を途中で分岐することは、いままで考えられていなかったのである。
【０００７】
そこで、本発明では、上述したいままでのヘッダ工法の利点を得つつ、さらに配管の途中分岐を行なって、使用する配管長を抑えることのできるヘッダ工法による配管システムを提供することを目的とする。
【０００８】
【課題を解決するための手段および作用・効果】
以上の問題点を解決すべく、本発明の請求項１は、水廻り機器への配管経路内に少なくとも１つの給水流入部と２つの給水流出部をを有する分岐継手部を設けてなり、給水流入部と接続される配管と一方の給水流出部と接続される配管とを壁裏もしくは天井裏もしくは床下に敷設し、かつ、室内側が開放されたケーシングを挿通してなり、前記配管と前記分岐継手部とは前記ケーシング内にて接続され、かつ、他方の給水流出部を室内側に向けて分岐してなることを特徴とするヘッダ工法による配管システムとしたことである。
【０００９】
これにより、大掛かりな工事を不要として、また、分岐継手部と配管との接続から漏水が発生したとしても、接続部分がケーシング内にあるため、容易に点検、補修することができ、さらに、いままでのヘッダ工法の利点を得つつ、配管の途中分岐を行なって、使用する配管長を抑えることができる。
【００１２】
本発明の請求項２は、前記分岐継手部は、前記配管に継手部を接続し、この継手部と分岐継手部とは嵌合接続し、かつ、水圧がかかって嵌合方向に分岐継手部から配管が抜けないように嵌合部に抜け防止金具を取付けたことを特徴とする。
【００１３】
これにより、分岐継手部を容易に配管経路内に設けることができる。また、上流側、下流側の配管の更新する場合や分岐継手部の取り替えする場合においても、容易に分岐継手部から配管を更新することができる。
【００１４】
本発明の請求項３は、前記配管は、可撓性の樹脂管であり、かつ、鞘管内に敷設されていることを特徴とする。
【００１５】
これにより、さらに配管の更新を容易にすることができる。
【００１６】
本発明の請求項４は、前記分岐継手部の分岐部に止水栓を設けたことを特徴とする。
【００１７】
これにより、分岐継手部から分岐した分岐部からの給水を長期に行なわない場合は、この止水栓を閉めることで、分岐部よりも下流側に水圧がかからなくて済む。また、長期に亘り、配管内に水を停滞させることもない。
【００１８】
本発明の請求項５は、前記分岐継手部の分岐部は、内部に止水弁を備え、かつ、水廻り機器の分岐接続部を分岐継手部に取付けることにより止水弁を開き、水廻り機器の分岐接続部を分岐継手部から取り外すことにより止水弁を閉じる開閉手段を備えたことを特徴とする。
【００１９】
これにより、簡単に分岐部に配管を接続して給水を得ることができる。また、配管を取り外すことで自動的に止水状態とすることができ、また、他の配管への給水を止めることないため、使用勝手がよい。
【００２０】
本発明の請求項６は、前記分岐継手部の室内側に向けて分岐された分岐部に、逆止弁を設けていることを特徴とする。
【００２１】
これにより、たとえ分岐部よりも下流側に水が停滞したとしても、この逆止弁により、他の配管内に停滞水が流れ込むことがない。
【００２２】
【発明の実施の形態】
以下に本発明の一実施の形態について図面を参照して説明する。
図１は、本発明の一実施の形態である配管システムを示す。
この配管システム１は、ヘッダ工法を利用しており、床下に設置したヘッダ３から可撓性の樹脂製の配管７を分岐して、各水廻り機器用のカップリング盤４を介して、各水廻り機器（例えば便器４Ａ）まで敷設している。
そして、このヘッダ３からの配管７を壁裏を通して立ち上げて、天井に敷設して、便器４Ａ、カップリング盤４に組み込んだ洗濯機用水栓や屋外給水栓等に接続している。さらに、この天井に敷設した配管７経路中に分岐継手部９を設けている。
そして、この分岐継手部９にスプリンクラノズル（図示せず）を設けている。
また、２階の洗面化粧台の水栓に接続するためのカップリング盤４の一方を分岐継手部９として、この分岐継手部９から２本の配管を分岐させ、一方を室内側に配管を分岐して洗面化粧台の水栓に接続し、他方を壁裏に配管を分岐して洗濯機用水栓のカップリング盤４に接続している。
図では、天井に分岐継手部９を設けた場合を示したが、壁裏に設けてもよい。なお、壁裏に設ける場合は、天井側の天井に近い位置に設けることが好ましい。
【００２３】
次に、図２には、ヘッダ３を天井に設置した場合を示している。図１と同様に、ヘッダ３から分岐された配管７経路内に分岐継手部９を設けている。
そして、その分岐継手部９にスプリンクラノズル（図示せず）を設けている。
また、分岐継手部９から図１と同様、洗面化粧台の水栓と洗濯機用水栓のカップリング盤４に分岐している。
【００２４】
図３は、天井にヘッダ３を設置して、そのヘッダ３から分岐した配管７を１階と２階の水廻り機器用のカップリング盤４に敷設した場合を示している。
そして、この配管７経路内に分岐継手部９を設けて、スプリンクラノズル（図示せず）を取付けられるようにしている。
また、分岐継手部９から図１および図２と同様、洗面化粧台の水栓と洗濯機用水栓のカップリング盤４に分岐している。
【００２５】
図４は、図１、図２および図３のようにヘッダ３から分岐した配管７経路内に分岐継手部９を設けた場合の配管経路図を示している。
【００２６】
以上ヘッダ３から分岐された配管７経路内に分岐継手部９を設けた例に基づき説明したが、図５および図６に示すように、給水管６を少なくとも２つ分岐し、分岐した一方の配管７にヘッダ３を接続し、ヘッダ３に接続しない他方の配管７に、分岐継手部９を取付けてもよい。
これにより、この分岐継手部９を利用してスプリンクラノズル１８を設けているため、給水管６の上流側で分岐することになり、スプリンクラノズル１８への給水量を十分に確保することができるようになる。
【００２７】
この場合においても、配管７の末端に、上述したように水廻り機器用のカップリング盤４を接続する。たとえば、図示するように、カップリング盤４から配管を便器や洗濯機用水栓、屋外用水栓に接続してもよく、また、浴室の水栓金具に接続してもよい。なお、浴室に用いる場合は、分岐継手部９に逆止弁１１を設け、停滞水が逆流しないようにする。
浴室においては、シャワーなど直接身体にかけて湯水を使用する。そのため、なるべく他の水廻り機器の使用による給水量の低下を防止したい。上述したように元の給水管６から別途分岐させることで、ヘッダ３から配管７するよりも、給水量の低下を抑えることができるという効果を奏することができる。
【００２８】
さらに、ヘッダ３を接続している配管７に開閉弁２６（電磁弁）を設けておき、スプリンクラノズル１８から放水された場合には、他の配管７経路の開閉弁２６を閉の状態とするように制御することが好ましい。このような構成とすることで、スプリンクラノズル１８への流量を十分に確保することができる。
【００２９】
次に図７は、ヘッダ３を天井に設置した場合において、分岐継手部９をヘッダ３から便器４Ａへの配管７経路内に設置した場合である。
図に示すように、屋外で本給水管５を立ち上げる。
そして、家屋の壁面（基礎部含む）に取付けた配水盤２内に本給水管５を取り込む。
この配水盤２は、ケーシング２９に覆われており、ケーシング２９に設けた点検蓋２４を開閉することで配水盤２を点検することができるようになっている。
この配水盤２は、図８に示すように、本給水管５からの給水の給水圧、給水量、給水の質、等を管理する機能部を備えたものである。
具体的には、本給水管５に開閉弁２６と異物除去フィルター２５と減圧弁２７とを介在させて家屋内への給水管６、配管７に接続している。この配水盤２から直接家屋内に配管させて水を供給する給水管６と、給湯機２８を介在させてから家屋内に配管させて湯を供給する給湯管６とを設けている。
【００３０】
この給水管６、給湯管６は、壁裏を通って、天井裏まで敷設し、天井裏に設けたヘッダ３に接続している。
ヘッダ３から分岐された複数の配管７は、可撓性を有する樹脂製の配管７とし、さらに鞘管８内に挿通して敷設するとよい。また、この鞘管８に断熱材や耐火材を被覆したり、鞘管８自体を断熱性・耐火性の部材で形成すると、配管７内の水の凍結防止される。また、給湯管６内の湯が保温され、即湯に繋がる。さらに、火災が発生したときに鞘管８さらには配管７が燃えて、スプリンクラノズル１８に水が供給されないといった問題もなくなる。
なお、ここでは、天井裏にヘッダ３を設けた場合を説明したが、図１のようにヘッダ３を床下に設けてもよい。また、ヘッダ３を壁裏に設けてもよい。
【００３１】
そして、ヘッダ３から分岐される配管７は、カップリング盤４を介して各水廻り機器まで敷設される。
この水廻り機器への配管７のうち、少なくとも１つの経路内にスプリンクラノズル１８を脱着自在に接続する分岐継手部９を設ける。
図７においては、水廻り機器が便器４Ａであり、この便器４Ａに接続された配管７経路内に分岐継手部９を設けている。
また、便器４Ａ（および局部洗浄装置）への給水は、カップリング部１４に接続した配管７より行なう。
カップリング部１４は、壁に埋設されたケーシング２９内で、分岐継手部９から敷設した配管７に止水弁（図示せず）とカップリング部１４二つを接続して、さらに、この止水弁（図示せず）の操作ハンドル１３とカップリング部１４を室内外に露出させた構成としている。
【００３２】
次に、この分岐継手部９を配管７経路内に介在させる方法を図９乃至図１４に基づき説明する。
各図に示すように、配管７に継手部１０を接続する。
そして、この継手部１０と分岐継手部９とは嵌合接続し、かつ、水圧がかかって嵌合方向に分岐継手部９から配管７が抜けないように嵌合部に抜け防止金具２２を取付ける。
具体的な構成として、継手部１０は、外周にＯリング２１を２つ設けておき、分岐継手部９の端部に挿入して、嵌合させている。また、図１４に示すように継手部１０と分岐継手部９の外周に凸部３０を形成しておき、抜け防止金具２２がこの凸部３０を挟み込んで取付けられることにより、水圧がかかって嵌合方向に分岐継手部９から配管７が抜けないようにしている。
【００３３】
次に、分岐継手部９の説明をする。
分岐継手部９は、流入口を１つ、流出口を２つ有する３つ股形状の略Ｔ字形状をしている。
そして、１つの流出口は、天井もしくは壁裏に敷設される配管７に接続されて、便器４Ａ、キッチンなどの水廻り機器へ水を供給する。
もう１つの流出口は、天井もしくは壁から室内側に向けている。そして、この分岐継手部９の端部にスプリンクラノズル１８を接続している。
なお、この分岐継手部９は、３つ股形状であれば、略Ｙ字形状としてもよい。
【００３４】
この分岐継手部９のスプリンクラノズル１８を接続する分岐部２０には、逆止弁１１を設けている。
これは、分岐継手部９の分岐部２０からスプリンクラノズル１８までの経路が長くなるとその経路内に水が停滞することになり、この停滞水が逆流して水廻り機器側に流れるのを防止するためのものである。特に、天井に設ける場合は、天井裏の空間の寸法が家屋等によって異なる。そのため、家屋によっては、分岐部２０とスプリンクラノズル１８との間に配管７を介在させなければならない場合がある。そのため、この所定の長さを有する配管７内に停滞水が溜まり、長い間停滞した状態のままであると、水が腐るおそれがある。そのため、分岐継手部９の分岐部２０（特に分岐の根元）に逆止弁１１を設けて停滞水が逆流しないようにしているのである。
特に飲料用の配管７経路内に設けた分岐継手部９の分岐部２０には、逆止弁１１を設けるようにする。
【００３５】
また、分岐継手部９には、止水弁１２（止水栓も含む）を備えている。
図９乃至図１１の分岐継手部９は、止水弁１２を内部に形成し、スプリンクラノズル１８を分岐継手部９に取付けることにより止水弁１２を開き、スプリンクラノズル１８を分岐継手部９から取り外すことにより止水弁１２を閉じる開閉手段を備えている。
具体的には、スプリンクラノズル１８の接続端部１９を分岐継手部９の分岐部２０に差込むことによって、分岐部２０の内部に設けた止水弁１２を押し込み、止水弁１２を開状態とする。
図９、１０においては、カップリング部１４を分岐部２０の先端に設け、このカップリング部１４の内側に凸状態で保持されるボール１５がスプリンクラノズル１８の接続端部１９の溝に嵌まり込むことによってスプリンクラノズル１８を分岐継手部９に固定する。これによって、止水弁１２の開状態が維持される。
そして、スプリンクラノズル１８を抜く場合は、カップリング部１４の外周部１６をスライドさせてカップリング部１４の内側に凸状態で保持されているボール１５をフリーにする。そして、スプリンクラノズル１８を抜くと、止水弁１２は付勢手段１７により元の閉の状態になる。なお、この付勢手段１７は、ばねの弾性力を利用する。
図１１は、スプリンクラノズル１８と分岐継手部９との接続を螺合接続した場合を示す。
図１２は、図９、１０の止水弁１２に代えて、止水弁１２に操作ハンドル１３を設け、手動で開閉するものである。
【００３６】
また、分岐継手部９と配管７との接続は、ケーシング２９内にて行なう。
このケーシング２９は、図１３に示すように、左右に鞘管８を固定する固定部２３を有し、この固定部２３に挿通して配管７をケーシング２９内に取り込むことができる。一方の固定部２３には、ヘッダ３から敷設された配管７を挿通し、他方の固定部２３には、水廻り機器へ敷設される配管７を挿通する。
また、ケーシング２９の前面側は開放されており、ここから分岐継手部９と配管７との接続を行なったり、接続部分の点検等を行なうことができる。また、この開放部分は、蓋２４で覆うようにしている。
さらに、この蓋２４には開口部を有し、この開口部から上述した分岐継手部９のカップリング部１４が突出するように形成している。
なお、ここでいう配管は、給水管と給湯管とを含む。
【００３７】
次に、本発明の別の実施の形態における配管システムの分岐継手部９について説明する。
図１乃至３に示すように、壁裏に敷設した洗面化粧台用の配管に分岐継手部９を設けて、一方の配管は、壁裏に再度敷設して、洗濯機用の水栓金具に接続し、他方の配管は、室内側に向けて分岐して、洗面化粧台に設けた水栓金具に接続する。
図１５に示すように、この分岐継手部９は、ｘｙｚ軸上にそれぞれの分岐部２０を延設している。
そして、上述したように、配管端部に接続した継手部１０と分岐継手部９とを嵌合させて接続している。
なお、水圧が掛かっても嵌合方向に継手部１０が分岐継手部９から抜けないように、継手部９と分岐継手部１０の嵌合部分のそれぞれに設けた凸部３０を挟み込むように抜け防止金具２２を取付けている。
【００３８】
この室内側に向けて分岐された分岐部２０には、止水栓１２Ａと内部に止水弁１２を有するカップリング部１４を接続している。
そして、このカップリング部１４に水廻り機器へ給水するための配管７を差し込むことで接続する構成としている。
なお、カップリング部１４の構成は、上述したものと同様であり、内部に水廻り機器への配管７を接続すると弁を自動的に開き、配管を外すと弁を自動的に閉じる止水弁１２を設けている。
次に、施工手順について説明する。
図１６に示すように、ケーシング２９を柱や間柱等にビス固定し、さらに、壁裏に敷設した配管７をケーシング２９内に取り込み、その配管７の端部に継手部１０を接続する。なお、このケーシング２９には鞘管８を固定する固定部２３が設けられている。
【００３９】
次に、図１７に示すように、分岐継手部９をこの継手部１０に接続して、さらに、抜け防止金具２２をケーシング２９にビス固定することで、嵌合部分に取付ける。
次に、図１８に示すように、ケーシング２９に蓋取付部材３３を取付ける。
そして、図１９に示すように、蓋取付部材３３に蓋２４を取り付ける。
この蓋２４から分岐部２０が突出し、この分岐部２０に止水栓１２Ａを有するカップリング部１４を嵌合接続する。
この嵌合部分にも抜け防止金具２２を取付ける。
そして、図２１が、分岐継手部９の使用状態を表している。
また、図２２には、分岐継手部９の室内側に分岐した部分の断面図を示した。
【００４０】
次に、図２３は、この分岐継手部９より壁裏に敷設された配管７に接続される洗濯機用水栓を組み込んだカップリング盤４をしめしている。
配管７をケーシング２９内に取込み、水栓３５に接続されている。接続については、上述した分岐継手部９の接続と同様に嵌合させた後、抜け防止金具２２を取付けている。
【００４１】
なお、ここでいうカップリング盤４とは、水廻り機器へ給水するために、ヘッダ３から分岐された配管７をケーシング２９内に取込み、カップリング部１４を接続した給水取出し口をいう。
【００４２】
【発明の効果】
以上により、大掛かりな工事を不要として、さらに、いままでのヘッダ工法の利点を得つつ、配管の途中分岐を行なって、使用する配管長を抑えることのできる。
つまり、配管の継手部からの漏水点検が容易に確認することができ、また鞘管を利用した場合には樹脂配管の更新が容易に行なえ、さらに配管の途中分岐を行なって、使用する配管長を抑えることのできるヘッダ工法による配管システムを提供することができる。
【図面の簡単な説明】
【図１】本件発明の一実施の形態である配管システムを示す。
【図２】本件発明の別の一実施の形態である配管システムを示す。
【図３】本件発明の別の一実施の形態である配管システムを示す。
【図４】本件発明の別の一実施の形態である配管システムを示す。
【図５】本件発明の別の一実施の形態である配管システムを示す。
【図６】本件発明の別の一実施の形態である配管システムを示す。
【図７】便器に接続された配管経路内に分岐継手部を設けた場合を示す。
【図８】図７における配水盤廻りの配管構造を示す。
【図９】本件発明を構成する分岐継手部の配管構造を示す。
【図１０】本件発明を構成する別の分岐継手部の配管構造を示す。
【図１１】本件発明を構成する別の分岐継手部の配管構造を示す。
【図１２】本件発明を構成する別の分岐継手部の配管構造を示す。
【図１３】本件発明を構成する別の分岐継手部の配管構造を示す。
【図１４】本件発明を構成する分岐継手部と配管継手部との嵌合接続構造を示す。
【図１５】本件発明を構成する別の実施の形態の分岐継手部を示す。
【図１６】図１５の配管をケーシング内に取込んだ状態図を示す。
【図１７】図１６の配管に分岐継手部を接続した状態図を示す。
【図１８】図１７に蓋取付部材を取付ける状態図を示す。
【図１９】図１８に蓋を取り付ける状態図を示す。
【図２０】図１９に止水栓とカップリング部を接続する状態図を示す。
【図２１】図１５の使用状態図を示す。
【図２２】図１５の分岐部の断面図を示す。
【図２３】分岐継手部より分岐された配管を接続した洗濯機用水栓のカップリング盤を示す。
【符号の説明】
１  配管システム
２  配水盤
３  ヘッダ
４  カップリング盤
４Ａ  便器
５  本給水管
６  給水管、給湯管
７  配管
８  鞘管
９  分岐継手部
１０  継手部
１１  逆止弁
１２  止水弁
１３  操作ハンドル
１４  カップリング部
１５  ボール
１６  外周部
１７  付勢手段（ばね）
１８  スプリンクラノズル
１９  接続端部
２０  分岐部
２１  Ｏリング
２２  抜け防止金具
２３  固定部
２４  蓋
２５  異物除去フィルター
２６  開閉弁
２７  減圧弁
２８  給湯機
２９  ケーシング
３０  凸部
３１  カバー
３２  螺合部
３３  蓋取付部材
３４  吐水口
３５  水栓
３６  流量調整用ハンドル
【図１】
0004947480.tif 000002
【図２】
0004947480.tif 000003
【図３】
0004947480.tif 000004
【図４】
0004947480.tif 000005
【図５】
0004947480.tif 000006
【図６】
0004947480.tif 000007
【図７】
0004947480.tif 000008
【図８】
0004947480.tif 000009
【図９】
0004947480.tif 000010
【図１０】
0004947480.tif 000011
【図１１】
0004947480.tif 000012
【図１２】
0004947480.tif 000013
【図１３】
0004947480.tif 000014
【図１４】
0004947480.tif 000015
【図１５】
0004947480.tif 000016
【図１６】
0004947480.tif 000017
【図１７】
0004947480.tif 000018
【図１８】
0004947480.tif 000019
【図１９】
0004947480.tif 000020
【図２０】
0004947480.tif 000021
【図２１】
0004947480.tif 000022
【図２２】
0004947480.tif 000023
【図２３】
0004947480.tif 000024